(57)【特許請求の範囲】
【請求項１】
カメラボディの前面に設けられ撮影窓が形成されている外カバーと、前記外カバーの内側に取り付けられ前記撮影窓を含む範囲に切り欠きが形成されている内枠と、前記内枠の背後で前記撮影窓を露呈する開位置と前記撮影窓を覆う閉位置との間で移動するレンズバリアと、を備えたカメラにおいて、
前記切り欠きの内部に前記撮影窓を露呈する開口をもつ金属板を配し、前記開口の周縁を前記撮影窓の開口縁の厚み内に収まる長さで前記外カバーに向けて折り曲げ、その周縁を前記開口縁に内側から係合させていることを特徴とするレンズバリア付きカメラ。
【請求項２】
カメラボディの前面に設けられ撮影窓が形成されている外カバーと、前記外カバーの内側に取り付けられ前記撮影窓を含む範囲に切り欠きが形成されている内枠と、前記内枠の背後で前記撮影窓を露呈する開位置と前記撮影窓を覆う閉位置との間で移動するレンズバリアと、を備えたカメラにおいて、
前記撮影窓を露呈する開口をもつ金属板を前記切り欠きの内部に配し、前記金属板を外カバーの裏面に貼着するための両面テープの厚み対応する長さで前記開口の周縁を前記外カバーに向けて折り曲げ、その周縁を前記撮影窓の開口縁の裏側に当接させていることを特徴とするレンズバリア付きカメラ。
【請求項３】
カメラボディの前面に設けられ撮影窓が形成されている外カバーと、前記外カバーの内側に取り付けられ前記撮影窓を含む範囲に切り欠きが形成されている内枠と、前記内枠の背後で前記撮影窓を露呈する開位置と前記撮影窓を覆う閉位置との間で移動するレンズバリアと、を備えたカメラにおいて、
前記撮影窓を露呈する開口をもつ金属板を前記切り欠きの内部に配し、前記撮影窓の開口縁に対応する大きさで前記開口の周縁を前記外カバーに向けて折り曲げて、前記開口の周縁と前記撮影窓の開口縁との大きさを合わせることで、前記外カバーに対して前記金属板を位置決めすることを特徴とするレンズバリア付きカメラ。
【請求項４】
カメラボディの前面に設けられ撮影窓が形成されている外カバーと、前記外カバーの内側に取り付けられ前記撮影窓を含む範囲に切り欠きが形成されている内枠と、前記内枠の背後で前記撮影窓を露呈する開位置と前記撮影窓を覆う閉位置との間で移動するレンズバリアと、を備えたカメラにおいて、
前記撮影窓を露呈する開口をもつ金属板を前記切り欠きの内部に配し、前記撮影窓の開口縁の端面全部に当接する大きさで前記開口の周縁を前記外カバーに向けて折り曲げることで、その周縁を前記開口縁に内側から係合させて、前記外カバーに対して前記金属板を位置決めすることを特徴とするレンズバリア付きカメラ。
【発明の詳細な説明】
【０００１】
【発明の属する技術分野】
本発明は、外カバーの内側で開閉されるレンズバリアをもった写真用カメラや電子スチルカメラに関するものである。
【０００２】
【従来の技術】
不使用時の携帯性を向上させるため、カメラボディ内に収納した沈胴位置とカメラボディから被写体側に向けて突出した撮影位置との間で進退するレンズ鏡筒を備えたカメラが知られている。このようなカメラに撮影レンズを保護するレンズバリアを取り付ける場合には、前カバーの内側にレンズバリアを開閉自在に設けるのが好適である。
【０００３】
【発明が解決しようとする課題】
しかしながら、前カバーには、撮影レンズを露呈するための撮影窓が形成されている。撮影窓の周辺部は、強度が弱いためホールディング時に変形し易い。変形すると、撮影窓の背後にあるレンズバリアの開閉空間が維持できず、したがって、レンズバリアの開閉に支障を来す結果となる。
【０００４】
一方、カメラ全体の奏する印象に高級感を与えるために、チタン、アルミニウム、及びステンレスなどの加工し難い金属材料で形成した外カバーを用いたカメラが知られている。特にチタン製のカバーは、最近では折り曲げや絞り加工が精度良く行えるようになったのに対し、内蔵部品を取り付けるために内側にネジ孔や位置決め孔及び突起等を一体に形成するのは難しい。このため、外カバーの内側にプラスチック製の内枠を取り付け、その内枠にネジ孔や位置決め孔及び突起等を一体形成して内蔵部品を取り付けている。この場合、内蔵部品を取り付けるための強度をもった厚みで内枠が形成されているから、撮影窓の周辺部が強度アップするのに対し、内枠の厚み分だけカメラボディの厚みが厚くなる欠点がある。
【０００５】
本発明はこのような事情に鑑みてなされたもので、カメラボディの厚みを薄くするとができ、且つレンズバリアの開閉を確実に動作させることができるレンズバリア付きカメラを提供することを目的とする。
【０００６】
【課題を解決するための手段】
本発明のレンズバリア付きカメラでは、外カバーの内壁に取り付ける内枠の切り欠きの内部に、撮影窓を露呈する開口をもった金属板を取り付け、その金属板の背後でレンズバリアを移動自在に配置するとともに、金属板に設けた開口の周縁を、外カバーに設けた撮影窓の開口縁の厚み内に収まる長さで外カバーに向けて折り曲げ、その周縁を外カバーの開口縁に内側から係合させたものである。また、撮影窓の開口縁の端面全部に当接する大きさで開口の周縁を折り曲げることで外カバーに対して金属板を高精度に位置決めするようにしてもよい。
【０００７】
また、金属板の折り曲げた開口の周縁を、外カバーの撮影窓の開口の端面に内側から係合させるのではなく、撮影窓の開口縁の裏面に当接させるようにしてもよい。この場合には、互いの開口の大きさが合うようにすれば位置決めが簡単に行える。
【０００８】
また、金属板を外カバーの裏面に両面テープで貼り付ける場合には、折り曲げ部の折り曲げ量を両面テープの厚みに対応させることで、金属板を前カバーの内面に密着して貼り付けることができる。
【０００９】
【発明の実施の形態】
本発明に係る電子スチルカメラ１０の外カバーは、図１に示すように、前後で二分割にした前カバー１１と後カバー１２とで構成されている。前カバー１１には、撮影窓１３が形成されている。撮影窓１３の奥には、レンズバリア１４が配置されている。レンズバリア１４は、カメラ１０の不使用状態のときに撮影窓１３を遮蔽する。カメラ１０は、電源スイッチ１５をＯＮすることでレンズバリア１４が撮影窓１３を露呈する位置に退避し、その後にレンズ鏡筒が撮影窓１３を通って繰り出されて使用状態となる。撮影時には、ファインダ１６を通して被写体を観察しながら背面に設けたズームボタンを操作して構図を決めた後に、シャッタボタン１７を押下する。
【００１０】
前カバー１１は、薄厚のチタン（titanium）板材を絞り加工によって断面コ字状に形成されており、前面の左右側を除いた撮影窓１３を含む範囲が平面となっている。撮影窓１３は、前カバー１１の前面から裏面に向けた方向に打ち抜いて形成されている。
【００１１】
前カバー１１の内側には、図２に示すように、プラスチック製の内枠１９が両面テープ等で貼り付けられている。内枠１９は、前カバー１１の内側に適合する輪郭となっている。内枠１９の前面には前カバー１１から露呈される透明プラスチック材料で形成されたストロボ発光窓２０等が取り付けられ、また内面には内蔵部品を取り付けるためのネジ孔や位置決めピン等が一体に形成されている。また、内枠１９には、前カバー１１の平面に対応した位置を取り巻く大きさの切り欠き２１が形成されている。この切り欠き２１の内部には、金属板２２が配置される。
【００１２】
金属板２２は、内枠１９よりも厚みの薄いステンレス板材をせん断加工によって打ち抜いて形成されている。その輪郭形状は切り欠き２１の内部に入り込むサイズとなっている。金属板２２には、撮影窓１３に対応した位置に開口２３が形成されている。金属板２２は、撮影窓１３に開口２３を合わせた姿勢で前カバー１１の内面に両面テープ等で貼り付けられる。金属板２２のせん断切り口にはバリ・かえり等が生じる。金属板２２は、バリ・かえりが発生している面、すなわち打抜き方向側の面を前カバー１１の内面に向けた姿勢で貼着されている。このような向きで貼着することで、レンズバリア１４の開閉に支障を来すことを防止することができる。
【００１３】
金属板２２の背後には、鏡筒ユニット２５が配置される。鏡筒ユニット２５は、バリア機構２６とレンズ鏡筒２７とからなる。バリア機構２６とレンズ鏡筒２７とは、それぞれ別々のモータで、レンズバリア１４の移動とレンズ鏡筒の移動とが干渉しないように作動される。レンズ鏡筒は、カメラボディ内に収納された沈胴位置と、撮影窓１３を通ってカメラボディの外部に突出した撮影位置との間で進退する。
【００１４】
バリア機構２６は、レンズバリア１４、及び地板２８をもっている。地板２８は、プラスチック製で形成されており、撮影光軸２９を横切るようにレンズバリア１４を開閉自在に支持する。地板２８の前面には、図３に示すように、レンズバリア１４の開閉空間を確保するための凹部３０と、この凹部３０の内部に開設された鏡筒出入口３１とが形成されている。凹部３０は、レンズバリア１４の厚み、もしくはこれよりも厚い厚みに相当する深さとなっている。
【００１５】
凹部３０には、鏡筒出入口３１の周縁に沿って円状突起３２が、またその鏡筒出入口３１からレンズバリア１４の開閉軌跡上に沿って弧状突起３３がそれぞれレンズバリア１４に向けて突出して形成されている。これらの突起３２，３３は、レンズバリア１４の開閉を背後からガイドする。
【００１６】
レンズバリア１４は、薄厚のチタン板材を撮影窓１３と相似に、且つ撮影窓１３よりも僅かに大きいサイズに打ち抜いて形成されている。レンズバリア１４の場合には、バリやかえり等が生じると、開閉動作に支障を来したり、金属板２２又は地板２８に傷を付けたりするから、バリやかえりを除去する加工を施すのが望ましい。レンズバリア１４を金属材料で形成すると、同じ強度のプラスチック製カバーと比べて肉厚を薄くできるから、カメラ１０の厚みを薄くすることに寄与する。
【００１７】
金属板２２は、開口２３の周縁３５が絞り加工により前カバー１１に向けて僅かに折り曲げられている。その周縁３５は、撮影窓１３の内周面に入り込むサイズとなっている。周縁３５を折り曲げることで金属板２２の強度が向上し、また、周縁３５を撮影窓１３に係合させることで貼着時の位置決めが簡単に行える。さらに、撮影窓１３との間の隙間を無くすることができるから防塵性が向上する。
【００１８】
このように構成されたカメラ１０によれば、まず前カバー１１の平面に対応した内壁に金属板２２を貼り付ける。このとき、開口２３の周縁３５を撮影窓１３の内周面に係合させることで、貼着時の位置決めが簡単に行える。その後、内枠１９を貼り付ける。内枠１９は、前カバー１１の内壁に適合するから、貼着時の位置決めが簡単に行える。内枠１９を貼着すると、切り欠き２１の内部に金属板２２が入り込んだ状態となる。これにより、撮影窓１３の背面に金属板２２が取り付けられた状態となるから、撮影窓１３の周辺部を補強することができる。
【００１９】
内枠１９を取り付けた後には、鏡筒ユニット２５を取り付ける。鏡筒ユニット２５は、内枠１９に設けられた位置決めピンによってレンズバリア１４が撮影窓１３に対峙するように位置決めされる。これにより、地板２８の前面が金属板２２に当接し、金属板２２と凹部３０との間に空間が形成される。この空間３６がレンズバリア１４の開閉用のスペースとなる。開閉空間３６は、前カバー１１の側が金属板２２で構成されているから、ホールディングしたときに前カバー１１が変形しても変形することがなく、したがって、レンズバリア１４の開閉に支障を来すことを防止することができる。また、レンズバリア１４が金属板２２に摺動しても、金属板２２の背面にはバリ・かえり等が発生していないから、レンズバリア１４の前面にスライド傷等が付くことがない。
【００２０】
なお、金属板２２の裏面にレンズバリア１４に向けて突出した突起を複数設け、これら突起でレンズバリア１４の開閉をガイドするようにしてもよい。突起としては、接触抵抗の面から断面半円状にするのが望ましい。
【００２１】
上記実施形態では、開口２３の周縁３５の折り曲げ部を前カバー１１の撮影窓１３の内部に挿入して係合させた例としているが、本発明ではこれに限らず、図４に示すように、開口２３の周縁３５が撮影窓１３の周縁の内壁に当接するようにしてもよい。この場合には、折り曲げ部の折り曲げ量を両面テープ４０の厚みに対応させることで、金属板２２を前カバー１１の内面に密着して貼り付けることができる。また、互いの開口の大きさが合うようにすれば貼着時の位置決めが簡単に行える。
【００２２】
さらに、図４に拡大して示したように、撮影窓１３は、同図に示す矢印Ａ方向、すなわち前カバー１１の前面から内面に向けた方向に打ち抜いて形成されている。これにより撮影窓１３に生じるバリ４１は、金属板２２に向けて突出して生じている。一方、金属板２２の開口２３に生じるバリ４２は、打ち抜き方向が同図に示す矢印Ｂ方向、すなわち撮影窓１３の打ち抜き方向とは逆の方向であるため、前カバー１３に向けて突出して生じている。したがって、金属板２２と前カバー１３とは、互いのバリ４１，４２同士が向き合うように取り付けられるとともに、この実施形態によればバリ４１，４２の生じた面同士が当接している。これにより、バリ４１，４２が撮影窓１３の周面に露呈されず、したがって、バリ４１，４２を取り除く加工を施さなくても、使用者が撮影窓１３の周縁を触って怪我をすることを未然に防ぐことができる。
【００２３】
上記実施形態では、金属製の前カバー１１を用いているが、本発明ではこれに限らず、プラスチック製の前カバーを用いてもよい。さらに、レンズバリア１４も前カバー１１に合わせて金属製としているが、本発明ではこれに限らず、プラスチック製としてもよい。
【００２４】
【発明の効果】
以上説明したように本発明に係るレンズバリア付きカメラによれば、撮影窓の背後に金属板を配置し、金属板の背後でレンズバリアを開閉するようにしたから、金属板との間でレンズバリアの開閉空間を確保することができる。このため、外カバーが変形しても開閉空間にはそれほど影響せず、したがって、レンズバリアの開閉を常にスムーズに動作させることができる。また、金属板は厚みを薄くしてもそれなりの強度が得られるから、カメラボディの厚みが厚くなることを防止することができる。
【００２５】
また、金属板の開口の周縁を外カバーに向けて折り曲げ、その周縁を撮影窓の開口縁に内側から係合させて外カバーに対して金属板を位置決めすることで、取り付け精度を向上することができる。
【００２６】
さらに、外カバーの内面に取り付けた内枠のうちの撮影窓に対応した範囲を切り欠いてその切り欠き内に金属板を取り付けたから、内枠の内側でレンズバリアを配置したものと比較してカメラの厚みを薄くすることができる。
【図面の簡単な説明】
【図１】本発明に係るレンズバリア付きカメラの外観を示す斜視図である。
【図２】本発明に係るレンズバリア付きカメラの前カバー、内枠、金属板、及びレンズバリアの要部を示す分解斜視図である。
【図３】本発明に係るレンズバリア付きカメラの前カバー、内枠、金属板、及びレンズバリアの要部を示す断面図である。
【図４】バリ同士が向き合うように前カバーに金属板を取り付けた他の実施形態を示す断面図である。
【符号の説明】
１１  前カバー
１３  撮影窓
１４  レンズバリア
１９  内枠
２１  切り欠き
２２  金属板
２３  開口
【図１】
0003976295.tif 000002
【図２】
0003976295.tif 000003
【図３】
0003976295.tif 000004
【図４】
0003976295.tif 000005